(57)【要約】      （修正有）【課題】構造がシンプルで、立位又は正しい着座姿勢で装着可能であり、引張力を発生させて姿勢を矯正する肩・背姿勢矯正ベルトを提供する。【解決手段】肩・背姿勢矯正ベルトは、背面ベルト１、第１伸縮ベルト５及び第２伸縮ベルト１５を含む。背面ベルト１は「Ｙ」字形状をなしており、背面ベルト１の中央部分に支持帯２が設けられている。また、背面ベルト１には２つの係合フックが設けられている。第１伸縮ベルト５と第２伸縮ベルト１５は背面ベルト１に接続されている。第１伸縮ベルト５は係合フックに接続されるとともに、左肩紐６と、左肩紐６に一体的に接続される左固定ベルト７に分割される。左固定ベルト７の基端は、左固定ベルト７の中央部に接続されてリング状を形成する。第２伸縮ベルト１５は係合フックに接続されるとともに、右肩紐１６と、右肩紐１６に一体的に接続される右固定ベルト１７に分割される。右固定ベルト１７の基端は、右固定ベルト１７の中央部に接続されてリング状を形成する。【選択図】図１
0003229268.tif 000002
【実用新案登録請求の範囲】
【請求項１】
背面ベルト（１）、第１伸縮ベルト（５）及び第２伸縮ベルト（１５）を含む肩・背姿勢矯正ベルトであって、
前記背面ベルト（１）は、第１支持部（２１）と、第１支持部に接続される第２支持部（２２）及び第３支持部（２３）を含み、前記第１支持部（２１）、第２支持部（２２）及び第３支持部（２３）は「Ｙ」字形状をなすように接続されており、前記第１支持部２１の中央には支持帯２が設けられており、且つ、第１支持部２１の後端面のうち第２支持部（２２）及び第３支持部（２３）から離間する側の一端に２つの係合フック（１０，１０ａ）が設けられており、前記第１伸縮ベルト（５）は、一端が第２支持部（２２）に接続され、他端が第２支持部（２２）に近接する側の係合フック（１０）に接続され、前記第１伸縮ベルト（５）は、左肩紐（６）と、左肩紐（６）に一体的に接続される左固定ベルト（７）を含み、前記左固定ベルト（７）のうち背面ベルト（１）から離間する一端は、左固定ベルト（７）の中央部に接続されてリング状を形成し、
前記第２伸縮ベルト（１５）は、一端が第３支持部（２３）に接続され、他端が第３支持部（２３）に近接する側の係合フック（１０ａ）に接続され、前記第２伸縮ベルト（１５）は、右肩紐（１６）と、右肩紐（１６）に一体的に接続される右固定ベルト（１７）を含み、前記右固定ベルト（１７）のうち背面ベルト（１）から離間する一端は、右固定ベルト（１７）の中央部に接続されてリング状を形成することを特徴とする肩・背姿勢矯正ベルト。
【請求項２】
前記左肩紐（６）と前記右肩紐（１６）にはわき保護パッド（４）が設けられており、前記わき保護パッド（４）はスポンジで作製され、前記わき保護パッド（４）の後端面の一方の側に第４マジックテープ（４１）が設けられていることを特徴とする請求項１に記載の肩・背姿勢矯正ベルト。
【請求項３】
前記第２支持部（２２）と第３支持部（２３）にはいずれも複数の突起（３）が設けられており、複数の前記突起（３）は第１支持部（２１）の中心軸線に対し対称に分布していることを特徴とする請求項１に記載の肩・背姿勢矯正ベルト。
【請求項４】
前記第１伸縮ベルト（５）と第２伸縮ベルト（１５）はいずれも弾性繊維材料で作製され、引張値がいずれも２３〜２５Ｎの間であることを特徴とする請求項１に記載の肩・背姿勢矯正ベルト。
【請求項５】
前記左固定ベルト（７）にはベルト止め部材（８）が設けられており、前記ベルト止め部材（８）はリング状をなしており、前記ベルト止め部材（８）は左固定ベルト（７）又は右固定ベルト（１７）上を自由に摺動可能であることを特徴とする請求項１に記載の肩・背姿勢矯正ベルト。
【請求項６】
前記左固定ベルト（７）の前端面の基端には第１マジックテープ（１１）が設けられており、第１マジックテープ（１１）から１０〜４０ＣＭの箇所に第２マジックテープ（１２）が設けられており、前記右固定ベルト（１７）の前端面のうち基端から４０〜５０ＣＭの箇所に第３マジックテープ（１３）が設けられていることを特徴とする請求項１に記載の肩・背姿勢矯正ベルト。
【請求項７】
前記左固定ベルト（７）と右固定ベルト（１７）には、いずれも第１マジックテープ（１１）、第２マジックテープ（１２）、第３マジックテープ（１３）と接着するマジックテープ対応面（１４）が設けられていることを特徴とする請求項６に記載の肩・背姿勢矯正ベルト。
【考案の詳細な説明】
【技術分野】
【０００１】
本考案は、肩・背姿勢矯正ベルトに関する。
【背景技術】
【０００２】
背部は両肩と背中の上部から構成される人間の骨格部分であり、身体の中で最も負担のかかりやすい部位である。背部は筋肉が弱く、湾曲しやすいため、長時間の経過に伴って猫背や頚椎症を誘発しやすい。現在、市場では電子機器の普及が続いており、特に子供や若者がこれらに熱中しているが、電子機器を長時間使用する際には一つの姿勢を保持したままになりがちのため、猫背や頚椎症がいっそう誘発されやすい。
【０００３】
現在市販されている矯正ベルトは、使用時に予め位置を固定するため、長時間の経過とともに使用者に筋肉痛が発生しやすく、猫背や頚椎症の予防にも不向きである。且つ、これらの多くはウエスト部に縛り付けて固定する方式で矯正を行うが、この場合の引張力は姿勢矯正への影響力が極めて小さい。そこで、我々は、立位姿勢で姿勢を矯正可能であるとともに、正しい着座姿勢でも姿勢を矯正可能な肩・背姿勢矯正ベルトを研究開発した。
【考案の概要】
【考案が解決しようとする課題】
【０００４】
本考案は、構造がシンプルで、立位又は正しい着座姿勢で装着可能であり、引張力を発生させて姿勢を矯正することで、上記の背景技術で提示した課題を解決する肩・背姿勢矯正ベルトを提供することを目的とする。
【課題を解決するための手段】
【０００５】
上記の目的を実現すべく、本考案は以下の技術方案を提供する。
【０００６】
肩・背姿勢矯正ベルトであって、背面ベルト、第１伸縮ベルト及び第２伸縮ベルトを含む。前記背面ベルトは、第１支持部と、第１支持部に接続される第２支持部及び第３支持部を含む。前記第１支持部、第２支持部及び第３支持部は「Ｙ」字形状をなすように接続されている。前記第１支持部の中央には支持帯が設けられている。且つ、第１支持部の後端面のうち第２支持部及び第３支持部から離間する側の一端に２つの係合フックが設けられている。前記第１伸縮ベルトは、一端が第２支持部に接続され、他端が第２支持部に近接する側の係合フックに接続される。前記第１伸縮ベルトは、左肩紐と、左肩紐に一体的に接続される左固定ベルトを含む。前記左固定ベルトのうち背面ベルトから離間する一端は、左固定ベルトの中央部に接続されてリング状を形成する。前記第２伸縮ベルトは、一端が第３支持部に接続され、他端が第３支持部に近接する側の係合フックに接続される。前記第２伸縮ベルトは、右肩紐と、右肩紐に一体的に接続される右固定ベルトを含む。前記右固定ベルトのうち背面ベルトから離間する一端は、右固定ベルトの中央部に接続されてリング状を形成する。
【０００７】
好ましくは、前記左肩紐と右肩紐にはわき保護パッドが設けられている。前記わき保護パッドはスポンジで作製される。前記わき保護パッドは左肩紐及び右肩紐に覆接されている。前記わき保護パッドの後端面の一方の側には第４マジックテープ（登録商標）が設けられている。
【０００８】
好ましくは、前記第２支持部と第３支持部にはいずれも複数の突起が設けられている。前記突起は第１支持部を中心軸として対称に設置される。
【０００９】
好ましくは、前記第１伸縮ベルトと第２伸縮ベルトはいずれも弾性繊維材料で作製され、引張値が２３〜２５Ｎの間である。
【００１０】
好ましくは、前記左固定ベルトにはベルト止め部材が設けられている。前記ベルト止め部材はリング状をなしている。前記ベルト止め部材は左固定ベルト又は右固定ベルト上を自由に摺動可能である。
【００１１】
好ましくは、前記左固定ベルトの前端面の基端には第１マジックテープが設けられており、第１マジックテープから１０〜４０ＣＭの箇所に第２マジックテープが設けられている。また、前記右固定ベルトの前端面のうち基端から４０〜５０ＣＭの箇所に第３マジックテープが設けられている。
【００１２】
好ましくは、前記左固定ベルトと右固定ベルトには、いずれも第１マジックテープ、第２マジックテープ、第３マジックテープと接着するマジックテープ対応面が設けられている。
【考案の効果】
【００１３】
従来技術と比較して、本考案の有益な効果は以下の通りである。
【００１４】
１．本考案では、わき保護パッドを設けた肩・背姿勢矯正ベルトを装着することで、矯正ベルトの各部分が異なる方向の引張力を発生させ、引張力によって身体の姿勢を矯正する。このとき、肩紐は、肩の前側からわき下にかけて内側へ向かう引張力を付与するため、長時間装着しているとわき下又は肩の前側が挟まれて負傷しやすい。そこで、わき保護パッドによってわき下から肩の前側を効果的に保護することで、矯正ベルトをより快適に装着可能としている。また、人体は腋窩の汗腺が発達しているため、猛暑の際には大量の汗をかきやすい。そこで、スポンジ材料で汗を吸収し、接着テープを対応面から剥がして取り外すことで洗浄も可能としている。また、着脱も比較的容易である。
【００１５】
２．本考案では、背面ベルトに突起を設けている。当該突起は、装着時に肩の後側に対するマッサージ機能を発揮して、長時間の締め付けによる筋肉痛を和らげることが可能である。これにより、肩・背姿勢矯正ベルトの装着時における快適性が更に増す。
【００１６】
３．本考案では、固定ベルトを設けることで、複数の装着固定方式を実現可能である。例えば、右固定ベルトの後端面の基端におけるマジックテープ対応面と左固定ベルトの前端面の基端に設けられる第１マジックテープを利用してウエストに固定すれば立位時に使用可能となる。また、２本の固定ベルトのリング状部位を膝又はふくらはぎに通すことで、着座時の固定状態を実現可能である。このように、固定方式の違いによって複数の身体姿勢への適用が可能である。
【図面の簡単な説明】
【００１７】
【図１】図１は、本考案の構造を示す図である。
【図２】図２は、本考案の正面図である。
【図３】図３は、本考案の背面図である。
【図４】図４は、本考案の固定ベルトの構造を示す図である。
【図５】図５は、本考案の固定ベルトの他の固定方式を示す図である。
【図６】図６は、本考案のわき保護パッドを示す図である。
【考案を実施するための形態】
【００１８】
以下に、本考案の実施例における図面を組み合わせて、本考案の実施例の技術方案につき明瞭簡潔に述べる。なお、ここで記載する実施例は本考案の一部の実施例にすぎず、全ての実施例でないことは言うまでもない。本考案の実施例に基づいて、当業者が創造的労働を要することなく取得するその他全ての実施例は、いずれも本考案の保護の範囲に属する。
【００１９】
図１〜図６を参照して、本考案が提供する実施例は次の通りである。即ち、肩・背姿勢矯正ベルトは、背面ベルト１、第１伸縮ベルト５及び第２伸縮ベルト１５を含む。前記背面ベルト１は、第１支持部２１と、第１支持部に接続される第２支持部２２及び第３支持部２３を含む。前記第１支持部２１、第２支持部２２及び第３支持部２３は「Ｙ」字形状をなすように接続されている。前記第１支持部２１の中央には支持帯２が設けられている。且つ、第１支持部２１の後端面のうち第２支持部２２及び第３支持部２３から離間する側の一端に２つの係合フック１０，１０ａが設けられている。前記第１伸縮ベルト５は、一端が第２支持部２２に接続され、他端が第２支持部２２に近接する側の係合フック１０に接続される。前記第１伸縮ベルト５は、左肩紐６と、左肩紐６に一体的に接続される左固定ベルト７を含む。前記左固定ベルト７のうち背面ベルト１から離間する一端は、左固定ベルト７の中央部に接続されてリング状を形成する。前記第２伸縮ベルト１５は、一端が第３支持部２３に接続され、他端が第３支持部２３に近接する側の係合フック１０ａに接続される。前記第２伸縮ベルト１５は、右肩紐１６と、右肩紐１６に一体的に接続される右固定ベルト１７を含む。前記右固定ベルト１７のうち背面ベルト１から離間する一端は、右固定ベルト１７の中央部に接続されてリング状を形成する。
【００２０】
具体的に、前記左肩紐６と右肩紐１６にはわき保護パッド４が設けられている。前記わき保護パッド４はスポンジで作製される。前記わき保護パッド４は左肩紐６及び右肩紐１６に覆接されている。前記わき保護パッド４の後端面の一方の側には第４マジックテープ４１が設けられており、前記わき保護パッド４の前端面が第４マジックテープ４１に接着可能である。肩紐は、肩の前側からわき下にかけて内側へ向かう引張力を付与するため、長時間装着しているとわき下又は肩の前側が挟まれて負傷しやすい。わき保護パッド４は、わき下から肩の前側を効果的に保護することで、矯正ベルトをより快適に装着可能とする。また、人体は腋窩の汗腺が発達しているため、猛暑の際には大量の汗をかきやすい。そこで、スポンジ材料で汗を吸収し、マジックテープを前端面から剥がしてわき保護パッド４を取り外せば、洗浄することも可能である。
【００２１】
具体的に、前記第２支持部２２と第３支持部２３にはいずれも複数の突起３が設けられている。前記突起３は、第１支持部２１を中心軸として対称に設置される。当該突起３は人体の背部に対するマッサージ機能を有する。当該突起３は、装着時に肩の後側をマッサージして、長時間の締め付けによる筋肉痛を和らげることが可能である。これにより、肩・背姿勢矯正ベルトの装着時における快適性が更に増す。
【００２２】
具体的に、前記第１伸縮ベルト５と第２伸縮ベルト１５はいずれも弾性繊維材料で作製され、引張値が２３〜２５Ｎの間である。第１伸縮ベルト５又は第２伸縮ベルト１５は、外力によって元の長さの１．５倍まで引き伸ばすことが可能である。また、外力が除去されると、第１伸縮ベルト５又は第２伸縮ベルト１５は自動的に元の長さに回復する。
【００２３】
前記左固定ベルト７にはベルト止め部材８が設けられている。前記ベルト止め部材８はリング状をなしている。前記ベルト止め部材８は左固定ベルト７又は右固定ベルト１７上を自由に摺動可能である。左固定ベルト７がウエストに固定された場合、ベルト止め部材８は左固定ベルト７のうち未接着の部分を落下しないよう挟み込むことが可能である。
【００２４】
具体的に、前記左固定ベルト７の前端面の基端には第１マジックテープ１１が設けられており、第１マジックテープ１１から１０〜４０ＣＭの箇所に第２マジックテープ１２が設けられている。また、前記右固定ベルト１７の前端面のうち基端から４０〜５０ＣＭの箇所に第３マジックテープ１３が設けられている。左固定ベルト７は、反時計周りに右ふくらはぎ部分に巻き付けて、左固定ベルト７の前端面の第２マジックテープ１２を後端面の基端のマジックテープ対応面１４に接着させることで右ふくらはぎに固定可能である。
【００２５】
具体的に、前記左固定ベルト７と右固定ベルト１７には、いずれも第１マジックテープ１１、第２マジックテープ１２、第３マジックテープ１３と接着するマジックテープ対応面１４が設けられている。前記第１マジックテープ１１、第２マジックテープ１２及び第３マジックテープは、いずれもマジックテープ対応面１４に接着可能である。右固定ベルト１７は、時計周りに左ふくらはぎ部分に巻き付けて、右固定ベルト１７の前端面の第３マジックテープ１３を後端面の基端のマジックテープ対応面１４に接着させることで左ふくらはぎに固定可能である。
【００２６】
装着方式１：背面ベルト１の前端面を背部側に向けて、右肩紐１６と背面ベルト１で形成される開口に左手を肩部まで通し、左肩紐６と背面ベルト１で形成される開口から右手を肩部まで通す。そして、左固定ベルト７と右固定ベルト１７をしっかりと引っ張ってウエスト部に巻き付け、左固定ベルト７の前端面の基端における第１マジックテープ１１を右固定ベルト１７の後端面の基端におけるマジックテープ対応面１４に接着させる。また、右固定ベルト１７に位置するベルト止め部材８で左固定ベルト７の基端のうち未接着の部分を落下しないよう挟み込む。当該装着方式は、立位又は走行時の使用に適用される。
【００２７】
装着方式２：正しく着座してから、背面ベルト１の前端面を背部側に向けて、右肩紐１６と背面ベルト１で形成される開口に左手を肩部まで通し、左肩紐６と背面ベルト１で形成される開口から右手を肩部まで通す。次に、左固定ベルト７をしっかりと引っ張ってリング状とし、リング状の開口を膝部分から下方に向かわせて右足のふくらはぎに掛接する。また、右固定ベルト１７をしっかりと引っ張ってリング状とし、リング状の開口を膝部分から下方に向かわせて左足のふくらはぎに掛接する。当該装着方式は着座姿勢に適用される。装着方式１と比較して、当該装着方式による肩・背姿勢矯正ベルトで発生する引張力は、装着方式１の肩・背姿勢矯正ベルトで発生する引張力よりも大きく、矯正効果にいっそう優れる。
【００２８】
装着方式３：図５を組み合わせて、正しく着座してから、背面ベルト１の前端面を背部側に向けて、右肩紐１６と背面ベルト１で形成される開口に左手を肩部まで通し、左肩紐６と背面ベルト１で形成される開口から右手を肩部まで通す。次に、左固定ベルト７をしっかりと引っ張り、反時計周りに右ふくらはぎ部分に巻き付けて、左固定ベルト７の前端面の第２マジックテープ１２を後端面の基端のマジックテープ対応面１４に接着させることで右ふくらはぎに固定する。また、右固定ベルト１７をしっかりと引っ張り、時計周りに左ふくらはぎ部分に巻き付けて、右固定ベルト１７の前端面内側の第３マジックテープ１３を後端面の基端のマジックテープ対応面１４に接着させることで左ふくらはぎに固定する。当該装着方式は着座姿勢に適用される。当該方式によれば、肩・背姿勢矯正ベルトで最大の引張力を発生可能であり、姿勢矯正効果に最も優れる。
【００２９】
上記３種類の装着方式は、本考案の肩・背姿勢矯正ベルトが複数の姿勢に適用され、自身のニーズに基づき調整しながら肩・背の矯正を行うことを意味している。
【００３０】
当業者にとって明らかなように、本考案は上記の例示的実施例の詳細に限定されず、本考案の精神又は基本的特徴を逸脱しないことを前提に、その他の具体的形式でも実現可能である。よって、あらゆる点において、実施例は限定を意図するものではなく、例示的なものとみなすべきである。本考案の範囲は上記の説明ではなく添付の実用新案登録請求の範囲によって限定される。従って、実用新案登録請求の範囲と同等要件の意味及び範囲に落とし込まれる全ての変形は本考案に包括される。また、請求項内のどの符号も関連する請求項を限定するものとみなすべきではない。
【符号の説明】
【００３１】
１  背面ベルト
２  支持帯
３  突起
４  わき保護パッド
４１  第４マジックテープ
５  第１伸縮ベルト
６  左肩紐
７  左固定ベルト
８  ベルト止め部材
１０  係合フック
１０ａ  係合フック
１１  第１マジックテープ
１２  第２マジックテープ
１３  第３マジックテープ
１４  マジックテープ対応面
１５  第２伸縮ベルト
１６  右肩紐
１７  右固定ベルト
２１  第１支持部
２２  第２支持部
２３  第３支持部
【図１】
0003229268.tif 000003
【図２】
0003229268.tif 000004
【図３】
0003229268.tif 000005
【図４】
0003229268.tif 000006
【図５】
0003229268.tif 000007
【図６】
0003229268.tif 000008
【手続補正書】
【提出日】令和2年9月7日(2020.9.7)
【手続補正１】
【補正対象書類名】実用新案登録請求の範囲
【補正対象項目名】全文
【補正方法】変更
【補正の内容】
【実用新案登録請求の範囲】
【請求項１】
背面ベルト（１）、第１伸縮ベルト（５）及び第２伸縮ベルト（１５）を含む肩・背姿勢矯正ベルトであって、
前記背面ベルト（１）は、第１支持部（２１）と、第１支持部に接続される第２支持部（２２）及び第３支持部（２３）を含み、前記第１支持部（２１）、第２支持部（２２）及び第３支持部（２３）は「Ｙ」字形状をなすように接続されており、前記第１支持部（２１）の中央には支持帯（２）が設けられており、且つ、第１支持部（２１）の後端面のうち第２支持部（２２）及び第３支持部（２３）から離間する側の一端に２つの係合フック（１０，１０ａ）が設けられており、前記第１伸縮ベルト（５）は、一端が第２支持部（２２）に接続され、他端が第２支持部（２２）に近接する側の係合フック（１０）に接続され、前記第１伸縮ベルト（５）は、左肩紐（６）と、左肩紐（６）に一体的に接続される左固定ベルト（７）を含み、前記左固定ベルト（７）のうち背面ベルト（１）から離間する一端は、左固定ベルト（７）の中央部に接続されてリング状を形成し、
前記第２伸縮ベルト（１５）は、一端が第３支持部（２３）に接続され、他端が第３支持部（２３）に近接する側の係合フック（１０ａ）に接続され、前記第２伸縮ベルト（１５）は、右肩紐（１６）と、右肩紐（１６）に一体的に接続される右固定ベルト（１７）を含み、前記右固定ベルト（１７）のうち背面ベルト（１）から離間する一端は、右固定ベルト（１７）の中央部に接続されてリング状を形成することを特徴とする肩・背姿勢矯正ベルト。
【請求項２】
前記左肩紐（６）と前記右肩紐（１６）にはわき保護パッド（４）が設けられており、前記わき保護パッド（４）はスポンジで作製され、前記わき保護パッド（４）の後端面の一方の側に第４面ファスナー（４１）が設けられていることを特徴とする請求項１に記載の肩・背姿勢矯正ベルト。
【請求項３】
前記第２支持部（２２）と第３支持部（２３）にはいずれも複数の突起（３）が設けられており、複数の前記突起（３）は第１支持部（２１）の中心軸線に対し対称に分布していることを特徴とする請求項１に記載の肩・背姿勢矯正ベルト。
【請求項４】
前記第１伸縮ベルト（５）と第２伸縮ベルト（１５）はいずれも弾性繊維材料で作製され、引張値がいずれも２３〜２５Ｎの間であることを特徴とする請求項１に記載の肩・背姿勢矯正ベルト。
【請求項５】
前記左固定ベルト（７）にはベルト止め部材（８）が設けられており、前記ベルト止め部材（８）はリング状をなしており、前記ベルト止め部材（８）は左固定ベルト（７）又は右固定ベルト（１７）上を自由に摺動可能であることを特徴とする請求項１に記載の肩・背姿勢矯正ベルト。
【請求項６】
前記左固定ベルト（７）の前端面の基端には第１面ファスナー（１１）が設けられており、第１面ファスナー（１１）から１０〜４０ＣＭの箇所に第２面ファスナー（１２）が設けられており、前記右固定ベルト（１７）の前端面のうち基端から４０〜５０ＣＭの箇所に第３面ファスナー（１３）が設けられていることを特徴とする請求項１に記載の肩・背姿勢矯正ベルト。
【請求項７】
前記左固定ベルト（７）と右固定ベルト（１７）には、いずれも第１面ファスナー（１１）、第２面ファスナー（１２）、第３面ファスナー（１３）と接着する面ファスナー対応面（１４）が設けられていることを特徴とする請求項６に記載の肩・背姿勢矯正ベルト。
【手続補正２】
【補正対象書類名】明細書
【補正対象項目名】全文
【補正方法】変更
【補正の内容】
【考案の詳細な説明】
【技術分野】
【０００１】
本考案は、肩・背姿勢矯正ベルトに関する。
【背景技術】
【０００２】
背部は両肩と背中の上部から構成される人間の骨格部分であり、身体の中で最も負担のかかりやすい部位である。背部は筋肉が弱く、湾曲しやすいため、長時間の経過に伴って猫背や頚椎症を誘発しやすい。現在、市場では電子機器の普及が続いており、特に子供や若者がこれらに熱中しているが、電子機器を長時間使用する際には一つの姿勢を保持したままになりがちのため、猫背や頚椎症がいっそう誘発されやすい。
【０００３】
現在市販されている矯正ベルトは、使用時に予め位置を固定するため、長時間の経過とともに使用者に筋肉痛が発生しやすく、猫背や頚椎症の予防にも不向きである。且つ、これらの多くはウエスト部に縛り付けて固定する方式で矯正を行うが、この場合の引張力は姿勢矯正への影響力が極めて小さい。そこで、我々は、立位姿勢で姿勢を矯正可能であるとともに、正しい着座姿勢でも姿勢を矯正可能な肩・背姿勢矯正ベルトを研究開発した。
【考案の概要】
【考案が解決しようとする課題】
【０００４】
本考案は、構造がシンプルで、立位又は正しい着座姿勢で装着可能であり、引張力を発生させて姿勢を矯正することで、上記の背景技術で提示した課題を解決する肩・背姿勢矯正ベルトを提供することを目的とする。
【課題を解決するための手段】
【０００５】
上記の目的を実現すべく、本考案は以下の技術方案を提供する。
【０００６】
肩・背姿勢矯正ベルトであって、背面ベルト、第１伸縮ベルト及び第２伸縮ベルトを含む。前記背面ベルトは、第１支持部と、第１支持部に接続される第２支持部及び第３支持部を含む。前記第１支持部、第２支持部及び第３支持部は「Ｙ」字形状をなすように接続されている。前記第１支持部の中央には支持帯が設けられている。且つ、第１支持部の後端面のうち第２支持部及び第３支持部から離間する側の一端に２つの係合フックが設けられている。前記第１伸縮ベルトは、一端が第２支持部に接続され、他端が第２支持部に近接する側の係合フックに接続される。前記第１伸縮ベルトは、左肩紐と、左肩紐に一体的に接続される左固定ベルトを含む。前記左固定ベルトのうち背面ベルトから離間する一端は、左固定ベルトの中央部に接続されてリング状を形成する。前記第２伸縮ベルトは、一端が第３支持部に接続され、他端が第３支持部に近接する側の係合フックに接続される。前記第２伸縮ベルトは、右肩紐と、右肩紐に一体的に接続される右固定ベルトを含む。前記右固定ベルトのうち背面ベルトから離間する一端は、右固定ベルトの中央部に接続されてリング状を形成する。
【０００７】
好ましくは、前記左肩紐と右肩紐にはわき保護パッドが設けられている。前記わき保護パッドはスポンジで作製される。前記わき保護パッドは左肩紐及び右肩紐に覆接されている。前記わき保護パッドの後端面の一方の側には第４面ファスナーが設けられている。
【０００８】
好ましくは、前記第２支持部と第３支持部にはいずれも複数の突起が設けられている。前記突起は第１支持部を中心軸として対称に設置される。
【０００９】
好ましくは、前記第１伸縮ベルトと第２伸縮ベルトはいずれも弾性繊維材料で作製され、引張値が２３〜２５Ｎの間である。
【００１０】
好ましくは、前記左固定ベルトにはベルト止め部材が設けられている。前記ベルト止め部材はリング状をなしている。前記ベルト止め部材は左固定ベルト又は右固定ベルト上を自由に摺動可能である。
【００１１】
好ましくは、前記左固定ベルトの前端面の基端には第１面ファスナーが設けられており、第１面ファスナーから１０〜４０ＣＭの箇所に第２面ファスナーが設けられている。また、前記右固定ベルトの前端面のうち基端から４０〜５０ＣＭの箇所に第３面ファスナーが設けられている。
【００１２】
好ましくは、前記左固定ベルトと右固定ベルトには、いずれも第１面ファスナー、第２面ファスナー、第３面ファスナーと接着する面ファスナー対応面が設けられている。
【考案の効果】
【００１３】
従来技術と比較して、本考案の有益な効果は以下の通りである。
【００１４】
１．本考案では、わき保護パッドを設けた肩・背姿勢矯正ベルトを装着することで、矯正ベルトの各部分が異なる方向の引張力を発生させ、引張力によって身体の姿勢を矯正する。このとき、肩紐は、肩の前側からわき下にかけて内側へ向かう引張力を付与するため、長時間装着しているとわき下又は肩の前側が挟まれて負傷しやすい。そこで、わき保護パッドによってわき下から肩の前側を効果的に保護することで、矯正ベルトをより快適に装着可能としている。また、人体は腋窩の汗腺が発達しているため、猛暑の際には大量の汗をかきやすい。そこで、スポンジ材料で汗を吸収し、接着テープを対応面から剥がして取り外すことで洗浄も可能としている。また、着脱も比較的容易である。
【００１５】
２．本考案では、背面ベルトに突起を設けている。当該突起は、装着時に肩の後側に対するマッサージ機能を発揮して、長時間の締め付けによる筋肉痛を和らげることが可能である。これにより、肩・背姿勢矯正ベルトの装着時における快適性が更に増す。
【００１６】
３．本考案では、固定ベルトを設けることで、複数の装着固定方式を実現可能である。例えば、右固定ベルトの後端面の基端における面ファスナー対応面と左固定ベルトの前端面の基端に設けられる第１面ファスナーを利用してウエストに固定すれば立位時に使用可能となる。また、２本の固定ベルトのリング状部位を膝又はふくらはぎに通すことで、着座時の固定状態を実現可能である。このように、固定方式の違いによって複数の身体姿勢への適用が可能である。
【図面の簡単な説明】
【００１７】
【図１】図１は、本考案の構造を示す図である。
【図２】図２は、本考案の正面図である。
【図３】図３は、本考案の背面図である。
【図４】図４は、本考案の固定ベルトの構造を示す図である。
【図５】図５は、本考案の固定ベルトの他の固定方式を示す図である。
【図６】図６は、本考案のわき保護パッドを示す図である。
【考案を実施するための形態】
【００１８】
以下に、本考案の実施例における図面を組み合わせて、本考案の実施例の技術方案につき明瞭簡潔に述べる。なお、ここで記載する実施例は本考案の一部の実施例にすぎず、全ての実施例でないことは言うまでもない。本考案の実施例に基づいて、当業者が創造的労働を要することなく取得するその他全ての実施例は、いずれも本考案の保護の範囲に属する。
【００１９】
図１〜図６を参照して、本考案が提供する実施例は次の通りである。即ち、肩・背姿勢矯正ベルトは、背面ベルト１、第１伸縮ベルト５及び第２伸縮ベルト１５を含む。前記背面ベルト１は、第１支持部２１と、第１支持部に接続される第２支持部２２及び第３支持部２３を含む。前記第１支持部２１、第２支持部２２及び第３支持部２３は「Ｙ」字形状をなすように接続されている。前記第１支持部２１の中央には支持帯２が設けられている。且つ、第１支持部２１の後端面のうち第２支持部２２及び第３支持部２３から離間する側の一端に２つの係合フック１０，１０ａが設けられている。前記第１伸縮ベルト５は、一端が第２支持部２２に接続され、他端が第２支持部２２に近接する側の係合フック１０に接続される。前記第１伸縮ベルト５は、左肩紐６と、左肩紐６に一体的に接続される左固定ベルト７を含む。前記左固定ベルト７のうち背面ベルト１から離間する一端は、左固定ベルト７の中央部に接続されてリング状を形成する。前記第２伸縮ベルト１５は、一端が第３支持部２３に接続され、他端が第３支持部２３に近接する側の係合フック１０ａに接続される。前記第２伸縮ベルト１５は、右肩紐１６と、右肩紐１６に一体的に接続される右固定ベルト１７を含む。前記右固定ベルト１７のうち背面ベルト１から離間する一端は、右固定ベルト１７の中央部に接続されてリング状を形成する。
【００２０】
具体的に、前記左肩紐６と右肩紐１６にはわき保護パッド４が設けられている。前記わき保護パッド４はスポンジで作製される。前記わき保護パッド４は左肩紐６及び右肩紐１６に覆接されている。前記わき保護パッド４の後端面の一方の側には第４面ファスナー４１が設けられており、前記わき保護パッド４の前端面が第４面ファスナー４１に接着可能である。肩紐は、肩の前側からわき下にかけて内側へ向かう引張力を付与するため、長時間装着しているとわき下又は肩の前側が挟まれて負傷しやすい。わき保護パッド４は、わき下から肩の前側を効果的に保護することで、矯正ベルトをより快適に装着可能とする。また、人体は腋窩の汗腺が発達しているため、猛暑の際には大量の汗をかきやすい。そこで、スポンジ材料で汗を吸収し、面ファスナーを前端面から剥がしてわき保護パッド４を取り外せば、洗浄することも可能である。
【００２１】
具体的に、前記第２支持部２２と第３支持部２３にはいずれも複数の突起３が設けられている。前記突起３は、第１支持部２１を中心軸として対称に設置される。当該突起３は人体の背部に対するマッサージ機能を有する。当該突起３は、装着時に肩の後側をマッサージして、長時間の締め付けによる筋肉痛を和らげることが可能である。これにより、肩・背姿勢矯正ベルトの装着時における快適性が更に増す。
【００２２】
具体的に、前記第１伸縮ベルト５と第２伸縮ベルト１５はいずれも弾性繊維材料で作製され、引張値が２３〜２５Ｎの間である。第１伸縮ベルト５又は第２伸縮ベルト１５は、外力によって元の長さの１．５倍まで引き伸ばすことが可能である。また、外力が除去されると、第１伸縮ベルト５又は第２伸縮ベルト１５は自動的に元の長さに回復する。
【００２３】
前記左固定ベルト７にはベルト止め部材８が設けられている。前記ベルト止め部材８はリング状をなしている。前記ベルト止め部材８は左固定ベルト７又は右固定ベルト１７上を自由に摺動可能である。左固定ベルト７がウエストに固定された場合、ベルト止め部材８は左固定ベルト７のうち未接着の部分を落下しないよう挟み込むことが可能である。
【００２４】
具体的に、前記左固定ベルト７の前端面の基端には第１面ファスナー１１が設けられており、第１面ファスナー１１から１０〜４０ＣＭの箇所に第２面ファスナー１２が設けられている。また、前記右固定ベルト１７の前端面のうち基端から４０〜５０ＣＭの箇所に第３面ファスナー１３が設けられている。左固定ベルト７は、反時計周りに右ふくらはぎ部分に巻き付けて、左固定ベルト７の前端面の第２面ファスナー１２を後端面の基端の面ファスナー対応面１４に接着させることで右ふくらはぎに固定可能である。
【００２５】
具体的に、前記左固定ベルト７と右固定ベルト１７には、いずれも第１面ファスナー１１、第２面ファスナー１２、第３面ファスナー１３と接着する面ファスナー対応面１４が設けられている。前記第１面ファスナー１１、第２面ファスナー１２及び第３面ファスナーは、いずれも面ファスナー対応面１４に接着可能である。右固定ベルト１７は、時計周りに左ふくらはぎ部分に巻き付けて、右固定ベルト１７の前端面の第３面ファスナー１３を後端面の基端の面ファスナー対応面１４に接着させることで左ふくらはぎに固定可能である。
【００２６】
装着方式１：背面ベルト１の前端面を背部側に向けて、右肩紐１６と背面ベルト１で形成される開口に左手を肩部まで通し、左肩紐６と背面ベルト１で形成される開口から右手を肩部まで通す。そして、左固定ベルト７と右固定ベルト１７をしっかりと引っ張ってウエスト部に巻き付け、左固定ベルト７の前端面の基端における第１面ファスナー１１を右固定ベルト１７の後端面の基端における面ファスナー対応面１４に接着させる。また、右固定ベルト１７に位置するベルト止め部材８で左固定ベルト７の基端のうち未接着の部分を落下しないよう挟み込む。当該装着方式は、立位又は走行時の使用に適用される。
【００２７】
装着方式２：正しく着座してから、背面ベルト１の前端面を背部側に向けて、右肩紐１６と背面ベルト１で形成される開口に左手を肩部まで通し、左肩紐６と背面ベルト１で形成される開口から右手を肩部まで通す。次に、左固定ベルト７をしっかりと引っ張ってリング状とし、リング状の開口を膝部分から下方に向かわせて右足のふくらはぎに掛接する。また、右固定ベルト１７をしっかりと引っ張ってリング状とし、リング状の開口を膝部分から下方に向かわせて左足のふくらはぎに掛接する。当該装着方式は着座姿勢に適用される。装着方式１と比較して、当該装着方式による肩・背姿勢矯正ベルトで発生する引張力は、装着方式１の肩・背姿勢矯正ベルトで発生する引張力よりも大きく、矯正効果にいっそう優れる。
【００２８】
装着方式３：図５を組み合わせて、正しく着座してから、背面ベルト１の前端面を背部側に向けて、右肩紐１６と背面ベルト１で形成される開口に左手を肩部まで通し、左肩紐６と背面ベルト１で形成される開口から右手を肩部まで通す。次に、左固定ベルト７をしっかりと引っ張り、反時計周りに右ふくらはぎ部分に巻き付けて、左固定ベルト７の前端面の第２面ファスナー１２を後端面の基端の面ファスナー対応面１４に接着させることで右ふくらはぎに固定する。また、右固定ベルト１７をしっかりと引っ張り、時計周りに左ふくらはぎ部分に巻き付けて、右固定ベルト１７の前端面内側の第３面ファスナー１３を後端面の基端の面ファスナー対応面１４に接着させることで左ふくらはぎに固定する。当該装着方式は着座姿勢に適用される。当該方式によれば、肩・背姿勢矯正ベルトで最大の引張力を発生可能であり、姿勢矯正効果に最も優れる。
【００２９】
上記３種類の装着方式は、本考案の肩・背姿勢矯正ベルトが複数の姿勢に適用され、自身のニーズに基づき調整しながら肩・背の矯正を行うことを意味している。
【００３０】
当業者にとって明らかなように、本考案は上記の例示的実施例の詳細に限定されず、本考案の精神又は基本的特徴を逸脱しないことを前提に、その他の具体的形式でも実現可能である。よって、あらゆる点において、実施例は限定を意図するものではなく、例示的なものとみなすべきである。本考案の範囲は上記の説明ではなく添付の実用新案登録請求の範囲によって限定される。従って、実用新案登録請求の範囲と同等要件の意味及び範囲に落とし込まれる全ての変形は本考案に包括される。また、請求項内のどの符号も関連する請求項を限定するものとみなすべきではない。
【符号の説明】
【００３１】
１  背面ベルト
２  支持帯
３  突起
４  わき保護パッド
４１  第４面ファスナー
５  第１伸縮ベルト
６  左肩紐
７  左固定ベルト
８  ベルト止め部材
１０  係合フック
１０ａ  係合フック
１１  第１面ファスナー
１２  第２面ファスナー
１３  第３面ファスナー
１４  面ファスナー対応面
１５  第２伸縮ベルト
１６  右肩紐
１７  右固定ベルト
２１  第１支持部
２２  第２支持部
２３  第３支持部